(57)【要約】【課題】便座と電気便座本体とを完全に脱着できるとともに、便座の温度制御ができる電気便座を提供することを目的とする。【解決手段】便座側電気回路１２と本体側電気回路１８とを電気的に電気配線４４、４５の２線で接続するとともに、本体側電気回路１８にはピークホールド回路３０〜３３を設けたものである。これにより、便座と電気便座本体とを完全に脱着できるとともに、便座の温度制御ができる。また、ピークホールド回路３０〜３３を備えたことで、出力信号をほぼ一定値にすることができ、制御手段４１の制御を簡単にすることができる。【選択図】図２
2006141525.tif 000002
【特許請求の範囲】
【請求項１】
便座と、電気便座本体とを備え、前記便座は、便座ケースと、前記便座ケースに設けられるヒータと、前記便座ケースに設けられる温度検出手段と、便座側電気回路とを有し、前記電気便座本体は、本体ケースと、本体側電気回路とを有し、前記便座側電気回路は、前記ヒータと、便座側第一整流器と、前記温度検出手段と、便座側第二整流器で構成され、前記本体側電気回路は、スイッチング素子と、本体側第一整流器と、抵抗と、本体側第二整流器と、ピークホールド回路と、制御手段で構成され、前記便座側電気回路と前記本体側電気回路とは、電気的に２線で接続される電気便座。
【請求項２】
便座と、電気便座本体と、商用交流電源とを備え、前記便座は、便座ケースと、前記便座ケースに設けられるヒータと、前記便座ケースに設けられる温度検出手段と、便座側電気回路とを有し、前記電気便座本体は、本体ケースと、本体側電気回路とを有し、前記便座側電気回路は、前記ヒータと、便座側第一整流器と、前記温度検出手段と、便座側第二整流器を有し、前記本体側電気回路は、スイッチング素子と、本体側第一整流器と、抵抗と、本体側第二整流器と、ピークホールド回路と、制御手段を有し、前記便座側電気回路と前記本体側電気回路と前記商用交流電源とにより構成される電気回路は、前記商用交流電源の一端に一端が接続される前記ヒータと前記便座側第一整流器の直列回路と、前記ヒータと前記便座側第一整流器の直列回路の他端と前記商用交流電源の他端との間に接続される前記スイッチング素子と前記本体側第一整流器の直列回路と、前記ヒータと前記便座側第一整流器の直列回路に並列接続される前記温度検出手段と前記便座側第二整流器の直列回路と、前記スイッチング素子と前記本体側第一整流器の直列回路には前記抵抗と前記本体側第二整流器の直列回路が並列接続され、前記抵抗と前記本体側第二整流器の直列回路の接続点は、前記ピークホールド回路に入力され、前記ピークホールド回路の出力は、前記制御手段に入力され、前記制御手段の出力は、前記スイッチング素子に接続され、前記便座側電気回路と前記本体側電気回路とは、電気的に２線で接続される電気便座。
【請求項３】
便座と、電気便座本体と、商用交流電源とを備え、前記便座は、便座ケースと、前記便座ケースに設けられるヒータと、前記便座ケースに設けられる温度検出手段と、便座側電気回路とを有し、前記電気便座本体は、本体ケースと、本体側電気回路とを有し、前記便座側電気回路は、前記ヒータと、便座側第一整流器と、前記温度検出手段と、便座側第二整流器を有し、前記本体側電気回路は、スイッチング素子と、本体側第一整流器と、抵抗と、本体側第二整流器と、ピークホールド回路と、制御手段を有し、前記便座側電気回路と前記本体側電気回路と前記商用交流電源とにより構成される電気回路は、前記商用交流電源の一端に一端が接続される前記ヒータと前記便座側第一整流器の直列回路と、前記ヒータと前記便座側第一整流器の直列回路の他端と前記商用交流電源の他端との間に接続される前記スイッチング素子と前記本体側第一整流器の直列回路と、前記ヒータと前記便座側第一整流器の直列回路に並列接続される前記温度検出手段と前記便座側第二整流器の直列回路と、前記スイッチング素子と前記本体側第一整流器の直列回路には前記抵抗と前記本体側第二整流器の直列回路が並列接続され、前記商用交流電源の一方の半周期期間は、前記便座側第一整流器と前記本体側第一整流器が導通し前記便座側第二整流器と前記本体側第二整流器は非導通となるように接続され、前記商用交流電源の他方の半周期期間は、前記便座側第二整流器と前記本体側第二整流器が導通し前記便座側第一整流器と前記本体側第一整流器は非導通となるように接続され、前記抵抗と前記本体側第二整流器の直列回路の接続点は、前記ピークホールド回路に入力され、前記ピークホールド回路の出力は、前記制御手段に入力され、前記制御手段の出力は、前記スイッチング素子に接続され、前記便座側電気回路と前記本体側電気回路とは、電気的に２線で接続され、前記制御手段は、前記ピークホールド回路の出力に基づいて前記スイッチング素子の導通・非導通を制御する電気便座。
【請求項４】
便座と、電気便座本体と、商用交流電源とを備え、前記便座は、便座ケースと、前記便座ケースに設けられるヒータと、前記便座ケースに設けられる温度検出手段と、便座側電気回路とを有し、前記電気便座本体は、本体ケースと、本体側電気回路とを有し、前記便座側電気回路は、前記ヒータと、便座側第一整流器と、前記温度検出手段と、便座側第二整流器を有し、前記本体側電気回路は、スイッチング素子と、本体側第一整流器と、抵抗と、本体側第二整流器と、ピークホールド回路と、電圧検出手段と、制御手段を有し、前記便座側電気回路と前記本体側電気回路と前記商用交流電源とにより構成される電気回路は、前記商用交流電源の一端に一端が接続される前記ヒータと前記便座側第一整流器の直列回路と、前記ヒータと前記便座側第一整流器の直列回路の他端と前記商用交流電源の他端との間に接続される前記スイッチング素子と前記本体側第一整流器の直列回路と、前記ヒータと前記便座側第一整流器の直列回路に並列接続される前記温度検出手段と前記便座側第二整流器の直列回路と、前記スイッチング素子と前記本体側第一整流器の直列回路には前記抵抗と前記本体側第二整流器の直列回路が並列接続され、前記商用交流電源の一方の半周期期間は、前記便座側第一整流器と前記本体側第一整流器が導通し前記便座側第二整流器と前記本体側第二整流器は非導通となるように接続され、前記商用交流電源の他方の半周期期間は、前記便座側第二整流器と前記本体側第二整流器が導通し前記便座側第一整流器と前記本体側第一整流器は非導通となるように接続され、前記抵抗と前記本体側第二整流器の直列回路の接続点は、前記ピークホールド回路に入力され、前記ピークホールド回路の出力は、前記制御手段に入力され、前記商用交流電源は、前記電圧検出手段にも入力され、前記電圧検出手段の出力は、前記制御手段に入力され、前記制御手段の出力は、前記スイッチング素子に接続され、前記便座側電気回路と前記本体側電気回路とは、電気的に２線で接続され、前記制御手段は、前記ピークホールド回路の出力と前記電圧検出手段の出力に基づいて前記スイッチング素子の導通・非導通を制御する電気便座。
【請求項５】
便座と、電気便座本体と、商用交流電源とを備え、前記便座は、便座ケースと、前記便座ケースに設けられるヒータと、前記便座ケースに設けられる温度検出手段と、便座側電気回路とを有し、前記電気便座本体は、本体ケースと、本体側電気回路とを有し、前記便座側電気回路は、前記ヒータと、便座側第一整流器と、前記温度検出手段と、便座側第二整流器を有し、前記本体側電気回路は、スイッチング素子と、本体側第一整流器と、抵抗と、本体側第二整流器と、ピークホールド回路と、電圧検出手段と、制御手段を有し、前記便座側電気回路と前記本体側電気回路と前記商用交流電源とにより構成される電気回路は、前記商用交流電源の一端に一端が接続される前記ヒータと前記便座側第一整流器の直列回路と、前記ヒータと前記便座側第一整流器の直列回路の他端と前記商用交流電源の他端との間に接続される前記スイッチング素子と前記本体側第一整流器の直列回路と、前記ヒータと前記便座側第一整流器の直列回路に並列接続される前記温度検出手段と前記便座側第二整流器の直列回路と、前記スイッチング素子と前記本体側第一整流器の直列回路には前記抵抗と前記本体側第二整流器の直列回路が並列接続され、前記商用交流電源の一方の半周期期間は、前記便座側第一整流器と前記本体側第一整流器が導通し前記便座側第二整流器と前記本体側第二整流器は非導通となるように接続され、前記商用交流電源の他方の半周期期間は、前記便座側第二整流器と前記本体側第二整流器が導通し前記便座側第一整流器と前記本体側第一整流器は非導通となるように接続され、前記抵抗と前記本体側第二整流器の直列回路の接続点は、前記ピークホールド回路に入力され、前記ピークホールド回路の出力は、前記制御手段に入力され、前記商用交流電源は、前記電圧検出手段にも入力され、前記電圧検出手段の出力は、前記制御手段に入力され、前記制御手段の出力は、前記スイッチング素子に接続され、前記便座側電気回路と前記本体側電気回路とは、電気的に２線で接続され、前記制御手段は、前記ピークホールド回路の出力より前記便座の温度を検出し、検出した前記便座の温度情報に基づいて前記スイッチング素子の導通・非導通を制御するとともに、前記電圧検出手段の出力より前記商用交流電源の電圧の大きさを検出し、前記商用交流電源の電圧の大きさが、定格電圧より増減した場合には、前記検出した前記便座の温度情報を補正し、補正した温度情報に基づいて前記スイッチング素子の導通・非導通を制御する電気便座。
【請求項６】
便座と、電気便座本体と、商用交流電源とを備え、前記便座は、便座ケースと、前記便座ケースに設けられるヒータと、前記便座ケースに設けられる温度検出手段と、便座側電気回路とを有し、前記電気便座本体は、本体ケースと、本体側電気回路とを有し、前記便座側電気回路は、前記ヒータと、便座側第一整流器と、前記温度検出手段と、便座側第二整流器を有し、前記本体側電気回路は、スイッチング素子と、本体側第一整流器と、抵抗と、本体側第二整流器と、ピークホールド回路と、電圧調整手段と、電圧検出手段と、制御手段を有し、前記便座側電気回路と前記本体側電気回路と前記商用交流電源とにより構成される電気回路は、前記商用交流電源の一端に一端が接続される前記ヒータと前記便座側第一整流器の直列回路と、前記ヒータと前記便座側第一整流器の直列回路の他端と前記商用交流電源の他端との間に接続される前記スイッチング素子と前記本体側第一整流器の直列回路と、前記ヒータと前記便座側第一整流器の直列回路に並列接続される前記温度検出手段と前記便座側第二整流器の直列回路と、前記スイッチング素子と前記本体側第一整流器の直列回路には前記抵抗と前記本体側第二整流器の直列回路が並列接続され、前記商用交流電源の一方の半周期期間は、前記便座側第一整流器と前記本体側第一整流器が導通し前記便座側第二整流器と前記本体側第二整流器は非導通となるように接続され、前記商用交流電源の他方の半周期期間は、前記便座側第二整流器と前記本体側第二整流器が導通し前記便座側第一整流器と前記本体側第一整流器は非導通となるように接続され、前記抵抗と前記本体側第二整流器の直列回路の接続点は、前記ピークホールド回路に入力され、前記ピークホールド回路の出力は、前記制御手段に入力され、前記商用交流電源は、前記電圧検出手段にも入力され、前記電圧検出手段の出力は、前記制御手段に入力され、前記制御手段の出力は、前記スイッチング素子に接続され、前記便座側電気回路と前記本体側電気回路とは、電気的に２線で接続され、前記電圧調整手段は、前記便座の温度が所定値の時、前記ピークホールド回路の出力を所定値にあらかじめ調整し、前記制御手段は、前記ピークホールド回路の出力より前記便座の温度を検出し、検出した前記便座の温度情報に基づいて前記スイッチング素子の導通・非導通を制御するとともに、前記電圧検出手段の出力より前記商用交流電源の電圧の大きさを検出し、前記商用交流電源の電圧の大きさが、定格電圧より増減した場合には、前記検出した前記便座の温度情報を補正し、補正した温度情報に基づいて前記スイッチング素子の導通・非導通を制御する電気便座。
【請求項７】
便座と、電気便座本体と、商用交流電源とを備え、前記便座は、便座ケースと、前記便座ケースに設けられるヒータと、前記便座ケースに設けられる温度検出手段と、便座側電気回路とを有し、前記電気便座本体は、本体ケースと、本体側電気回路とを有し、前記便座側電気回路は、前記ヒータと、便座側第一整流器と、前記温度検出手段と、便座側第二整流器を有し、前記本体側電気回路は、スイッチング素子と、本体側第一整流器と、抵抗と、本体側第二整流器と、ピークホールド回路と、電圧調整手段と、電圧検出手段と、電圧検出出力調整手段と、制御手段を有し、前記便座側電気回路と前記本体側電気回路と前記商用交流電源とにより構成される電気回路は、前記商用交流電源の一端に一端が接続される前記ヒータと前記便座側第一整流器の直列回路と、前記ヒータと前記便座側第一整流器の直列回路の他端と前記商用交流電源の他端との間に接続される前記スイッチング素子と前記本体側第一整流器の直列回路と、前記ヒータと前記便座側第一整流器の直列回路に並列接続される前記温度検出手段と前記便座側第二整流器の直列回路と、前記スイッチング素子と前記本体側第一整流器の直列回路には前記抵抗と前記本体側第二整流器の直列回路が並列接続され、前記商用交流電源の一方の半周期期間は、前記便座側第一整流器と前記本体側第一整流器が導通し前記便座側第二整流器と前記本体側第二整流器は非導通となるように接続され、前記商用交流電源の他方の半周期期間は、前記便座側第二整流器と前記本体側第二整流器が導通し前記便座側第一整流器と前記本体側第一整流器は非導通となるように接続され、前記抵抗と前記本体側第二整流器の直列回路の接続点は、前記ピークホールド回路に入力され、前記ピークホールド回路の出力は、前記制御手段に入力され、前記商用交流電源は、前記電圧検出手段にも入力され、前記電圧検出手段の出力は、前記制御手段に入力され、前記制御手段の出力は、前記スイッチング素子に接続され、前記便座側電気回路と前記本体側電気回路とは、電気的に２線で接続され、前記電圧調整手段は、前記便座の温度が所定値の時、前記ピークホールド回路の出力を所定値にあらかじめ調整し、前記電圧検出出力調整手段は、前記商用交流電源の電圧が定格電圧の時、前記電圧検出手段の出力を所定値にあらかじめ調整し、前記制御手段は、前記ピークホールド回路の出力より前記便座の温度を検出し、検出した前記便座の温度情報に基づいて前記スイッチング素子の導通・非導通を制御するとともに、前記電圧検出手段の出力より前記商用交流電源の電圧の大きさを検出し、前記商用交流電源の電圧の大きさが、定格電圧より増減した場合には、前記検出した前記便座の温度情報を補正し、補正した温度情報に基づいて前記スイッチング素子の導通・非導通を制御する電気便座。
【請求項８】
電圧検出手段の出力にも別のピークホールド回路を接続した請求項４〜７のいずれか１項に記載の電気便座。
【請求項９】
ピークホールド回路をサンプル＆ホールド回路とした請求項１〜８のいずれか１項に記載の電気便座。
【請求項１０】
開閉手段を備えた請求項１〜９のいずれか１項に記載の電気便座。
【発明の詳細な説明】
【技術分野】
【０００１】
本発明は、ヒータで便座を暖める電気便座に関するものである。
【背景技術】
【０００２】
従来、この種の電気便座は、ヒータを有する便座と電気便座本体とから構成されている（例えば、特許文献１参照）。一般的には、便座には、ヒータのほか便座温度を検出するサーミスタが設けられ、電気便座本体には、サーミスタが検出する便座の温度に基づいてヒータを制御する本体側電気回路が設けられている。ヒータとサーミスタは、中継コネクタにより本体側電気回路と電気的に接続されている。そして、電気便座本体は電源コードを介して電源に接続されている。
【特許文献１】特開２０００−２１０２３０号公報
【発明の開示】
【発明が解決しようとする課題】
【０００３】
しかしながら、前記従来の構成では、ヒータ用の配線が２本とサーミスタ用の配線が２本の合計４本の電気的な配線が必要となる。したがって、便座と電気便座本体を完全に脱着するにはその構成上、実現が難しいという課題を有していた。
【０００４】
本発明は、前記従来の課題を解決するもので、便座と電気便座本体とを完全に脱着できるとともに、便座の温度制御ができる電気便座を提供することを目的とする。
【課題を解決するための手段】
【０００５】
前記従来の課題を解決するために、本発明の電気便座は、第１に、便座と、電気便座本体とを備え、前記便座は、便座ケースと、前記便座ケースに設けられるヒータと、前記便座ケースに設けられる温度検出手段と、便座側電気回路とを有し、前記電気便座本体は、本体ケースと、本体側電気回路とを有し、前記便座側電気回路は、前記ヒータと、便座側第一整流器と、前記温度検出手段と、便座側第二整流器で構成され、前記本体側電気回路は、スイッチング素子と、本体側第一整流器と、抵抗と、本体側第二整流器と、ピークホールド回路と、制御手段で構成され、前記便座側電気回路と前記本体側電気回路とは、電気的に２線で接続されるものである。
【０００６】
これにより、便座側電気回路と本体側電気回路とを電気的に２線で接続できることとなり、便座と電気便座本体とを完全に脱着できるとともに、便座の温度制御ができる。また、ピークホールド回路を設けることで、出力信号をほぼ一定値にすることができるので、制御手段がこの信号の入力タイミングを制御する必要はなく、制御を簡単にすることができる。
【発明の効果】
【０００７】
本発明の電気便座は、電気配線を２線として、機構的に便座を脱着する構成の実現性を向上するとともに、電気配線が２線にもかかわらず、便座の温度制御を行うことができ、また、制御手段による制御を簡単にすることができる。
【発明を実施するための最良の形態】
【０００８】
第１の発明は、便座と、電気便座本体とを備え、前記便座は、便座ケースと、前記便座ケースに設けられるヒータと、前記便座ケースに設けられる温度検出手段と、便座側電気回路とを有し、前記電気便座本体は、本体ケースと、本体側電気回路とを有し、前記便座側電気回路は、前記ヒータと、便座側第一整流器と、前記温度検出手段と、便座側第二整流器で構成され、前記本体側電気回路は、スイッチング素子と、本体側第一整流器と、抵抗と、本体側第二整流器と、ピークホールド回路と、制御手段で構成され、前記便座側電気回路と前記本体側電気回路とは、電気的に２線で接続される電気便座とすることにより、便座側電気回路と本体側電気回路とを電気的に２線で接続できることとなり、便座と電気便座本体とを完全に脱着できるとともに、便座の温度制御ができる。また、ピークホールド回路を設けることで、出力信号をほぼ一定値にすることができるので、制御手段がこの信号の入力タイミングを制御する必要はなく、制御を簡単にすることができる。
【０００９】
第２の発明は、便座と、電気便座本体と、商用交流電源とを備え、前記便座は、便座ケースと、前記便座ケースに設けられるヒータと、前記便座ケースに設けられる温度検出手段と、便座側電気回路とを有し、前記電気便座本体は、本体ケースと、本体側電気回路とを有し、前記便座側電気回路は、前記ヒータと、便座側第一整流器と、前記温度検出手段と、便座側第二整流器を有し、前記本体側電気回路は、スイッチング素子と、本体側第一整流器と、抵抗と、本体側第二整流器と、ピークホールド回路と、制御手段を有し、前記便座側電気回路と前記本体側電気回路と前記商用交流電源とにより構成される電気回路は、前記商用交流電源の一端に一端が接続される前記ヒータと前記便座側第一整流器の直列回路と、前記ヒータと前記便座側第一整流器の直列回路の他端と前記商用交流電源の他端との間に接続される前記スイッチング素子と前記本体側第一整流器の直列回路と、前記ヒータと前記便座側第一整流器の直列回路に並列接続される前記温度検出手段と前記便座側第二整流器の直列回路と、前記スイッチング素子と前記本体側第一整流器の直列回路には前記抵抗と前記本体側第二整流器の直列回路が並列接続され、前記抵抗と前記本体側第二整流器の直列回路の接続点は、前記ピークホールド回路に入力され、前記ピークホールド回路の出力は、前記制御手段に入力され、前記制御手段の出力は、前記スイッチング素子に接続され、前記便座側電気回路と前記本体側電気回路とは、電気的に２線で接続される電気便座とすることにより、第１の発明と同様な効果が得られる。
【００１０】
第３の発明は、便座と、電気便座本体と、商用交流電源とを備え、前記便座は、便座ケースと、前記便座ケースに設けられるヒータと、前記便座ケースに設けられる温度検出手段と、便座側電気回路とを有し、前記電気便座本体は、本体ケースと、本体側電気回路とを有し、前記便座側電気回路は、前記ヒータと、便座側第一整流器と、前記温度検出手段と、便座側第二整流器を有し、前記本体側電気回路は、スイッチング素子と、本体側第一整流器と、抵抗と、本体側第二整流器と、ピークホールド回路と、制御手段を有し、前記便座側電気回路と前記本体側電気回路と前記商用交流電源とにより構成される電気回路は、前記商用交流電源の一端に一端が接続される前記ヒータと前記便座側第一整流器の直列回路と、前記ヒータと前記便座側第一整流器の直列回路の他端と前記商用交流電源の他端との間に接続される前記スイッチング素子と前記本体側第一整流器の直列回路と、前記ヒータと前記便座側第一整流器の直列回路に並列接続される前記温度検出手段と前記便座側第二整流器の直列回路と、前記スイッチング素子と前記本体側第一整流器の直列回路には前記抵抗と前記本体側第二整流器の直列回路が並列接続され、前記商用交流電源の一方の半周期期間は、前記便座側第一整流器と前記本体側第一整流器が導通し前記便座側第二整流器と前記本体側第二整流器は非導通となるように接続され、前記商用交流電源の他方の半周期期間は、前記便座側第二整流器と前記本体側第二整流器が導通し前記便座側第一整流器と前記本体側第一整流器は非導通となるように接続され、前記抵抗と前記本体側第二整流器の直列回路の接続点は、前記ピークホールド回路に入力され、前記ピークホールド回路の出力は、前記制御手段に入力され、前記制御手段の出力は、前記スイッチング素子に接続され、前記便座側電気回路と前記本体側電気回路とは、電気的に２線で接続され、前記制御手段は、前記ピークホールド回路の出力に基づいて前記スイッチング素子の導通・非導通を制御する電気便座とすることにより、第１の発明と同様な効果が得られる。
【００１１】
第４の発明は、便座と、電気便座本体と、商用交流電源とを備え、前記便座は、便座ケースと、前記便座ケースに設けられるヒータと、前記便座ケースに設けられる温度検出手段と、便座側電気回路とを有し、前記電気便座本体は、本体ケースと、本体側電気回路とを有し、前記便座側電気回路は、前記ヒータと、便座側第一整流器と、前記温度検出手段と、便座側第二整流器を有し、前記本体側電気回路は、スイッチング素子と、本体側第一整流器と、抵抗と、本体側第二整流器と、ピークホールド回路と、電圧検出手段と、制御手段を有し、前記便座側電気回路と前記本体側電気回路と前記商用交流電源とにより構成される電気回路は、前記商用交流電源の一端に一端が接続される前記ヒータと前記便座側第一整流器の直列回路と、前記ヒータと前記便座側第一整流器の直列回路の他端と前記商用交流電源の他端との間に接続される前記スイッチング素子と前記本体側第一整流器の直列回路と、前記ヒータと前記便座側第一整流器の直列回路に並列接続される前記温度検出手段と前記便座側第二整流器の直列回路と、前記スイッチング素子と前記本体側第一整流器の直列回路には前記抵抗と前記本体側第二整流器の直列回路が並列接続され、前記商用交流電源の一方の半周期期間は、前記便座側第一整流器と前記本体側第一整流器が導通し前記便座側第二整流器と前記本体側第二整流器は非導通となるように接続され、前記商用交流電源の他方の半周期期間は、前記便座側第二整流器と前記本体側第二整流器が導通し前記便座側第一整流器と前記本体側第一整流器は非導通となるように接続され、前記抵抗と前記本体側第二整流器の直列回路の接続点は、前記ピークホールド回路に入力され、前記ピークホールド回路の出力は、前記制御手段に入力され、前記商用交流電源は、前記電圧検出手段にも入力され、前記電圧検出手段の出力は、前記制御手段に入力され、前記制御手段の出力は、前記スイッチング素子に接続され、前記便座側電気回路と前記本体側電気回路とは、電気的に２線で接続され、前記制御手段は、前記ピークホールド回路の出力と前記電圧検出手段の出力に基づいて前記スイッチング素子の導通・非導通を制御する電気便座とすることにより、便座側電気回路と本体側電気回路とを電気的に２線で接続するので、４線で接続する場合に比べて電気配線数を減らすことができ、便座を完全に脱着する構成の実現性を向上することができるとともに、制御手段は、ピークホールド回路の出力と、電圧検出手段の出力とに基づいてスイッチング素子の導通・非導通を制御するので、便座と電気便座本体との電気配線が２本にもかかわらず、便座の温度制御を行うことができる。
【００１２】
第５の発明は、便座と、電気便座本体と、商用交流電源とを備え、前記便座は、便座ケースと、前記便座ケースに設けられるヒータと、前記便座ケースに設けられる温度検出手段と、便座側電気回路とを有し、前記電気便座本体は、本体ケースと、本体側電気回路とを有し、前記便座側電気回路は、前記ヒータと、便座側第一整流器と、前記温度検出手段と、便座側第二整流器を有し、前記本体側電気回路は、スイッチング素子と、本体側第一整流器と、抵抗と、本体側第二整流器と、ピークホールド回路と、電圧検出手段と、制御手段を有し、前記便座側電気回路と前記本体側電気回路と前記商用交流電源とにより構成される電気回路は、前記商用交流電源の一端に一端が接続される前記ヒータと前記便座側第一整流器の直列回路と、前記ヒータと前記便座側第一整流器の直列回路の他端と前記商用交流電源の他端との間に接続される前記スイッチング素子と前記本体側第一整流器の直列回路と、前記ヒータと前記便座側第一整流器の直列回路に並列接続される前記温度検出手段と前記便座側第二整流器の直列回路と、前記スイッチング素子と前記本体側第一整流器の直列回路には前記抵抗と前記本体側第二整流器の直列回路が並列接続され、前記商用交流電源の一方の半周期期間は、前記便座側第一整流器と前記本体側第一整流器が導通し前記便座側第二整流器と前記本体側第二整流器は非導通となるように接続され、前記商用交流電源の他方の半周期期間は、前記便座側第二整流器と前記本体側第二整流器が導通し前記便座側第一整流器と前記本体側第一整流器は非導通となるように接続され、前記抵抗と前記本体側第二整流器の直列回路の接続点は、前記ピークホールド回路に入力され、前記ピークホールド回路の出力は、前記制御手段に入力され、前記商用交流電源は、前記電圧検出手段にも入力され、前記電圧検出手段の出力は、前記制御手段に入力され、前記制御手段の出力は、前記スイッチング素子に接続され、前記便座側電気回路と前記本体側電気回路とは、電気的に２線で接続され、前記制御手段は、前記ピークホールド回路の出力より前記便座の温度を検出し、検出した前記便座の温度情報に基づいて前記スイッチング素子の導通・非導通を制御するとともに、前記電圧検出手段の出力より前記商用交流電源の電圧の大きさを検出し、前記商用交流電源の電圧の大きさが、定格電圧より増減した場合には、前記検出した前記便座の温度情報を補正し、補正した温度情報に基づいて前記スイッチング素子の導通・非導通を制御する電気便座とすることにより、便座側電気回路と本体側電気回路とを電気的に２線で接続するので、４線で接続する場合に比べて電気配線数を減らすことができ、便座を完全に脱着する構成の実現性を向上することができるとともに、制御手段は、ピークホールド回路の出力より便座の温度を検出し、検出した便座の温度情報に基づいてスイッチング素子の導通・非導通を制御し、電圧検出手段の出力より商用交流電源の電圧の大きさを検出し、商用交流電源の電圧の大きさが、定格電圧より増減した場合には、検出した便座の温度情報を補正し、補正した温度情報に基づいてスイッチング素子の導通・非導通を制御するので、便座と電気便座本体との電気配線が２本にもかかわらず、便座の温度制御が行え、商用交流電源の電圧の大きさが変動した場合でも、便座の温度制御を正確に行うことができる。
【００１３】
第６の発明は、便座と、電気便座本体と、商用交流電源とを備え、前記便座は、便座ケースと、前記便座ケースに設けられるヒータと、前記便座ケースに設けられる温度検出手段と、便座側電気回路とを有し、前記電気便座本体は、本体ケースと、本体側電気回路とを有し、前記便座側電気回路は、前記ヒータと、便座側第一整流器と、前記温度検出手段と、便座側第二整流器を有し、前記本体側電気回路は、スイッチング素子と、本体側第一整流器と、抵抗と、本体側第二整流器と、ピークホールド回路と、電圧調整手段と、電圧検出手段と、制御手段を有し、前記便座側電気回路と前記本体側電気回路と前記商用交流電源とにより構成される電気回路は、前記商用交流電源の一端に一端が接続される前記ヒータと前記便座側第一整流器の直列回路と、前記ヒータと前記便座側第一整流器の直列回路の他端と前記商用交流電源の他端との間に接続される前記スイッチング素子と前記本体側第一整流器の直列回路と、前記ヒータと前記便座側第一整流器の直列回路に並列接続される前記温度検出手段と前記便座側第二整流器の直列回路と、前記スイッチング素子と前記本体側第一整流器の直列回路には前記抵抗と前記本体側第二整流器の直列回路が並列接続され、前記商用交流電源の一方の半周期期間は、前記便座側第一整流器と前記本体側第一整流器が導通し前記便座側第二整流器と前記本体側第二整流器は非導通となるように接続され、前記商用交流電源の他方の半周期期間は、前記便座側第二整流器と前記本体側第二整流器が導通し前記便座側第一整流器と前記本体側第一整流器は非導通となるように接続され、前記抵抗と前記本体側第二整流器の直列回路の接続点は、前記ピークホールド回路に入力され、前記ピークホールド回路の出力は、前記制御手段に入力され、前記商用交流電源は、前記電圧検出手段にも入力され、前記電圧検出手段の出力は、前記制御手段に入力され、前記制御手段の出力は、前記スイッチング素子に接続され、前記便座側電気回路と前記本体側電気回路とは、電気的に２線で接続され、前記電圧調整手段は、前記便座の温度が所定値の時、前記ピークホールド回路の出力を所定値にあらかじめ調整し、前記制御手段は、前記ピークホールド回路の出力より前記便座の温度を検出し、検出した前記便座の温度情報に基づいて前記スイッチング素子の導通・非導通を制御するとともに、前記電圧検出手段の出力より前記商用交流電源の電圧の大きさを検出し、前記商用交流電源の電圧の大きさが、定格電圧より増減した場合には、前記検出した前記便座の温度情報を補正し、補正した温度情報に基づいて前記スイッチング素子の導通・非導通を制御する電気便座とすることにより、便座側電気回路と本体側電気回路とを電気的に２線で接続するので、４線で接続する場合に比べて電気配線数を減らすことができ、便座を完全に脱着する構成の実現性を向上することができるとともに、電圧調整手段は、便座の温度が所定値の時にピークホールド回路の出力を所定値にあらかじめ初期調整し、制御手段は、ピークホールド回路の出力より便座の温度を検出し、検出した便座の温度情報に基づいてスイッチング素子の導通・非導通を制御し、電圧検出手段の出力より商用交流電源の電圧の大きさを検出し、商用交流電源の電圧の大きさが、定格電圧より増減した場合には、検出した便座の温度情報を補正し、補正した温度情報に基づいてスイッチング素子の導通・非導通を制御するので、便座と電気便座本体との電気配線が２本にもかかわらず、便座の温度制御が行え、温度検出手段の特性がばらついたり、商用交流電源の電圧の大きさが変動したりした場合でも、便座の温度制御を正確に行うことができる。
【００１４】
第７の発明は、便座と、電気便座本体と、商用交流電源とを備え、前記便座は、便座ケースと、前記便座ケースに設けられるヒータと、前記便座ケースに設けられる温度検出手段と、便座側電気回路とを有し、前記電気便座本体は、本体ケースと、本体側電気回路とを有し、前記便座側電気回路は、前記ヒータと、便座側第一整流器と、前記温度検出手段と、便座側第二整流器を有し、前記本体側電気回路は、スイッチング素子と、本体側第一整流器と、抵抗と、本体側第二整流器と、ピークホールド回路と、電圧調整手段と、電圧検出手段と、電圧検出出力調整手段と、制御手段を有し、前記便座側電気回路と前記本体側電気回路と前記商用交流電源とにより構成される電気回路は、前記商用交流電源の一端に一端が接続される前記ヒータと前記便座側第一整流器の直列回路と、前記ヒータと前記便座側第一整流器の直列回路の他端と前記商用交流電源の他端との間に接続される前記スイッチング素子と前記本体側第一整流器の直列回路と、前記ヒータと前記便座側第一整流器の直列回路に並列接続される前記温度検出手段と前記便座側第二整流器の直列回路と、前記スイッチング素子と前記本体側第一整流器の直列回路には前記抵抗と前記本体側第二整流器の直列回路が並列接続され、前記商用交流電源の一方の半周期期間は、前記便座側第一整流器と前記本体側第一整流器が導通し前記便座側第二整流器と前記本体側第二整流器は非導通となるように接続され、前記商用交流電源の他方の半周期期間は、前記便座側第二整流器と前記本体側第二整流器が導通し前記便座側第一整流器と前記本体側第一整流器は非導通となるように接続され、前記抵抗と前記本体側第二整流器の直列回路の接続点は、前記ピークホールド回路に入力され、前記ピークホールド回路の出力は、前記制御手段に入力され、前記商用交流電源は、前記電圧検出手段にも入力され、前記電圧検出手段の出力は、前記制御手段に入力され、前記制御手段の出力は、前記スイッチング素子に接続され、前記便座側電気回路と前記本体側電気回路とは、電気的に２線で接続され、前記電圧調整手段は、前記便座の温度が所定値の時、前記ピークホールド回路の出力を所定値にあらかじめ調整し、前記電圧検出出力調整手段は、前記商用交流電源の電圧が定格電圧の時、前記電圧検出手段の出力を所定値にあらかじめ調整し、前記制御手段は、前記ピークホールド回路の出力より前記便座の温度を検出し、検出した前記便座の温度情報に基づいて前記スイッチング素子の導通・非導通を制御するとともに、前記電圧検出手段の出力より前記商用交流電源の電圧の大きさを検出し、前記商用交流電源の電圧の大きさが、定格電圧より増減した場合には、前記検出した前記便座の温度情報を補正し、補正した温度情報に基づいて前記スイッチング素子の導通・非導通を制御する電気便座とすることにより、便座側電気回路と本体側電気回路とを電気的に２線で接続するので、４線で接続する場合に比べて電気配線数を減らすことができ、便座を完全に脱着する構成の実現性を向上することができるとともに、電圧調整手段は、便座の温度が所定値の時にピークホールド回路の出力を所定値にあらかじめ初期調整し、電圧検出出力調整手段は、商用交流電源の電圧が定格電圧の時に電圧検出手段の出力を所定値にあらかじめ初期調整し、制御手段は、ピークホールド回路の出力より便座の温度を検出し、検出した便座の温度情報に基づいてスイッチング素子の導通・非導通を制御し、電圧検出手段の出力より商用交流電源の電圧の大きさを検出し、商用交流電源の電圧の大きさが、定格電圧より増減した場合には、検出した便座の温度情報を補正し、補正した温度情報に基づいてスイッチング素子の導通・非導通を制御するので、便座と電気便座本体との電気配線が２本にもかかわらず、便座の温度制御が行え、温度検出手段の特性がばらついたり、商用交流電源の電圧の大きさが変動したりした場合でも、便座の温度制御をより正確に行うことができる。
【００１５】
第８の発明は、特に、第１〜第７のいずれか１つの発明において、電圧検出手段の出力にも別のピークホールド回路を接続したことにより、制御手段は、電圧検出手段の出力を、商用交流電源の電圧位相に関わらず、入力することができるので、制御をより簡単にすることができる。
【００１６】
第９の発明は、特に、第１〜第８のいずれか１つの発明において、ピークホールド回路をサンプル＆ホールド回路としたことにより、制御手段は、サンプル＆ホールド回路の出力を、まず、クリアし、次に、完全にピーク値をホールドし、その後、読み込むという動作を繰り返すことで、より正確に便座の温度を検出できることになる。
【００１７】
第１０の発明は、特に、第１〜第９のいずれか１つの発明において、開閉手段を備えたことにより、便座側電気回路と本体側電気回路とを接続している電気的な線が開放状態になった場合には、開閉手段を開放できるので、便座を完全に脱着する構成を実現した場合、便座が取り外された状態で、仮に、使用者が、電気便座本体に設けられる、便座を接続するための電気的な接続部に触れられる構成であったとしても、感電を防止することができる。
【００１８】
以下、本発明の実施の形態について、図面を参照しながら説明する。なお、この実施の形態によって本発明が限定されるものではない。
【００１９】
（実施の形態）
図１は、本発明の実施の形態における電気便座を示すものである。
【００２０】
図１に示すように、電気便座は、便座９と電気便座本体１０を備えている。便座９は、便座ケース１１で覆われ、便座ケース１１内には、便座側電気回路１２が設けられ、便座側電気回路１２には、ヒータ１３と、便座９の温度を検出する温度検出手段であるサーミスタ１４と、凸状のプラグ１５、１６とを有する。電気便座本体１０は、本体ケース１７で覆われ、本体ケース１７内には、本体側電気回路１８が設けられ、本体側電気回路１８には、プラグ１５、１６と接続される凹状のプラグ受け１９、２０と、電源コード２１とを有している。
【００２１】
図２は、電気便座の便座側電気回路１２と本体側電気回路１８と商用交流電源２２との電気接続を示す。便座側電気回路１２は、便座側第一整流器であるダイオード２３と、ヒータ１３と、便座側第二整流器であるダイオード２４と、サーミスタ１４などより構成され、本体側電気回路１８は、本体側第一整流器であるダイオード２５と、スイッチング素子であるトライアック２６と、本体側第二整流器であるダイオード２７と、抵抗２８と、電圧調整手段である半固定抵抗２９と、ピークホールド回路を構成しているトランジスタ３０と電解コンデンサ３１と抵抗３２と抵抗３３と、電圧検出手段を構成している抵抗３４と抵抗３５と、電圧検出出力調整手段である半固定抵抗３６と、別のピークホールド回路を構成しているトランジスタ３７と電解コンデンサ３８と抵抗３９と抵抗４０と、制御手段４１と、電源部４２と、開閉器である接点４３ａ、４３ｂを有するリレー４３などより構成されている。そして、便座側電気回路１２と本体側電気回路１８とは、図１に示すプラグ１５、１６をプラグ受け１９、２０にそれぞれ挿入することにより、図２に示す電気配線４４、４５の２線で接続されており、本体側電気回路１８は、電源コード２１により商用交流電源２２に接続されている。
【００２２】
便座側電気回路１２と本体側電気回路１８と商用交流電源２２とにより構成される電気回路は、商用交流電源２２の一端ａにリレー４３の接点４３ａを介して一端が接続されるヒータ１３とダイオード２３の直列回路と、ヒータ１３とダイオード２３の直列回路における他端側のリレー４３の接点４３ｂを介した点と商用交流電源２２の他端ｂとの間に接続されるダイオード２５とトライアック２６の直列回路と、ヒータ１３とダイオード２３の直列回路に並列接続されるサーミスタ１４とダイオード２４の直列回路と、ダイオード２５とトライアック２６の直列回路にはダイオード２７と抵抗２８と半固定抵抗２９の直列回路が並列接続され、商用交流電源２２の一方の半周期期間は、ダイオード２３とダイオード２５が導通しダイオード２４とダイオード２７は非導通となる向きに接続され、商用交流電源２２の他方の半周期期間は、ダイオード２４とダイオード２７が導通しダイオード２３とダイオード２５は非導通となる向きに接続されている。
【００２３】
抵抗２８とダイオード２７の直列回路の接続点ｃは、ピークホールド回路の入力となるトランジスタ３０のベース端子に接続され、トランジスタ３０のエミッタ端子とグランドＧＮＤの間には、電解コンデンサ３１と抵抗３２が接続され、トランジスタ３０のコレクタ端子と電源Ｖｃｃの間には、抵抗３３が接続され、ピークホールド回路の出力となるトランジスタ３０のエミッタ端子は、制御手段４１に入力されている。また、商用交流電源２２の電圧は、抵抗３４と抵抗３５の直列回路にも接続されており、抵抗３５は、半固定抵抗３６に接続され、抵抗３４と抵抗３５の直列回路の接続点ｄは、別のピークホールド回路の入力となるトランジスタ３７のベース端子に接続され、トランジスタ３７のエミッタ端子とＧＮＤの間には、電解コンデンサ３８と抵抗３９が接続され、トランジスタ３７のコレクタ端子とＶｃｃの間には、抵抗４０が接続され、別のピークホールド回路の出力となるトランジスタ３７のエミッタ端子も、制御手段４１に入力されている。
【００２４】
制御手段４１の出力は、トライアック２６のゲート端子と、リレー４３の駆動部のコイル４３ｃに入力されている。制御手段４１などを動作させるのに必要な電源は、電源部４２により供給されている。
【００２５】
以上のように構成された電気便座について、以下その動作、作用を説明する。
【００２６】
まず、商用交流電源２２の電圧の位相において、ａ点の電位がｂ点の電位より高くなる位相の半周期期間は、商用交流電源２２→リレー４３の接点４３ａ→電気配線４４→サーミスタ１４→ダイオード２４→電気配線４５→リレー４３の接点４３ｂ→ダイオード２７→抵抗２８→半固定抵抗２９→商用交流電源２２の回路が構成されることになる。この回路は、制御手段４１が、ピークホールド回路の出力となるトランジスタ３０のエミッタ端子の電圧Ｖｅより、便座９の温度を検出する機能となる。順を追って説明する。
【００２７】
制御手段４１に入力されるトランジスタ３０のエミッタ端子の電圧Ｖｅは、ｃ点の電圧をＶｃとし、トランジスタ３０のベース・エミッタ間電圧をＶｂｅ１とすれば、Ｖｅ＝Ｖｃ−Ｖｂｅ１となる。
【００２８】
Ｖｃは、抵抗２８の抵抗値をＲ１、半固定抵抗２９の抵抗値をＲ２、サーミスタ１４の抵抗値をＲ３とし、ダイオード２４とダイオード２７の順方向電圧降下を無視すれば、Ｖｃ＝Ｖｉｎ・（Ｒ１＋Ｒ２）／（Ｒ１＋Ｒ２＋Ｒ３）となるので、結局、Ｖｅ＝Ｖｉｎ・（Ｒ１＋Ｒ２）／（Ｒ１＋Ｒ２＋Ｒ３）−Ｖｂｅ１となる。この式より明らかなように、便座９の温度が変化してサーミスタ１４の抵抗値Ｒ３が変化すると、制御手段４１に入力されるＶｅは変化するので、制御手段４１は、Ｖｅを入力して読み取ることにより、便座９の温度を検出できることになる。
【００２９】
Ｖｉｎは、時間的に変化するので、Ｖｃは、時間的に変化するが、Ｖｅは、ピーク値がホールドされるので、ほぼ一定電圧となり、Ｖｉｎの時間的な変化の影響はなく、制御手段４１のＶｅ読み取りタイミングには制約がない。
【００３０】
Ｖｅは、抵抗２８の抵抗値Ｒ１のばらつきやサーミスタ１４の温度−抵抗値Ｒ３特性のばらつきに影響されることになるが、これについては、サーミスタ１４の温度を所定値に設定した状態で、Ｖｅが所定値になるようにあらかじめ半固定抵抗２９の抵抗値Ｒ２を調整しておけば、サーミスタ１４の温度とＶｅの相関特性が調整できることになり、抵抗２８の抵抗値Ｒ１のばらつきやサーミスタ１４の温度−抵抗値Ｒ３特性のばらつきの影響をなくすことができる。
【００３１】
また、Ｖｅは、Ｖｉｎの電圧変動にも影響されることになるが、これについては、制御手段４１がトランジスタ３７のエミッタ電圧Ｖｖを入力して読み取ることによりＶｉｎの大きさを検出し、検出したＶｉｎの定格電圧値からのずれに応じて、Ｖｅから読み取った便座９の温度情報を補正することで解決できる。すなわち、抵抗３４の抵抗値をＲ４、抵抗３５の抵抗値をＲ５、半固定抵抗３６の抵抗値をＲ６とし、トランジスタ３７のベース・エミッタ間電圧をＶｂｅ２すると、制御手段４１に入力されるＶｖは、Ｖｖ＝Ｖｉｎ・（Ｒ５＋Ｒ６）／（Ｒ４＋Ｒ５＋Ｒ６）−Ｖｂｅ２となり、この式より明らかなように、Ｖｉｎが変化するとＶｖが変化するので、制御手段４１は、Ｖｖを読み取ることでＶｉｎの大きさを検出できることになり、検出したＶｉｎの定格電圧値からのずれに応じてＶｅの読み取り値を補正することで、Ｖｉｎが電圧変動した場合も便座９の温度を検出できることになる。
【００３２】
Ｖｉｎは、時間的に変化するので、Ｖｖは、時間的に変化するが、Ｖｖは、ピーク値がホールドされるようになっているため、ほぼ一定電圧となり、Ｖｉｎの時間的な変化の影響はなく、制御手段４１のＶｖ読み取りタイミングにも制約がない。
【００３３】
電圧検出手段の出力Ｖｖは、抵抗３４の抵抗値Ｒ４のばらつきや抵抗３５の抵抗値Ｒ５のばらつきに影響されることになるが、これについては、商用交流電源２２の電圧Ｖｉｎを定格電圧値に設定した状態で、Ｖｖが所定値になるようにあらかじめ半固定抵抗３６の抵抗値Ｒ６を調整しておけば、ＶｉｎとＶｖの相関特性が調整できることになり、抵抗３４の抵抗値Ｒ４のばらつきや抵抗３５の抵抗値Ｒ５のばらつきによる影響をなくすことができる。
【００３４】
このように、図２に示す回路は、商用交流電源２２の電圧の位相において、ａ点の電位がｂ点の電位より高くなる位相の半周期期間は、便座９の温度を正確に検出する機能を有するものである。
【００３５】
次に、商用交流電源２２の電圧の位相において、ａ点の電位がｂ点の電位より低くなる位相の半周期期間は、商用交流電源２２→リレー４３の接点４３ａ→電気配線４４→ダイオード２３→ヒータ１３→電気配線４５→リレー４３の接点４３ｂ→ダイオード２５→トライアック２６→商用交流電源２２の回路が構成されることになり、制御手段４１は、商用交流電源２２の電圧の位相において、ａ点の電位がｂ点の電位より高くなる位相の半周期期間にＶｅより検出した便座９の温度と、Ｖｖより検出した商用交流電源２２の電圧の大きさとに基づいて、トライアック２６のゲート端子を駆動・停止することで、トライアック２６の導通・非道通を制御し、ヒータ１３への給電を制御して、便座９の温度制御を行う。
【００３６】
最後に、便座９が電気便座本体１０より取り外された場合の動作を説明する。便座９が取り外されると、Ｖｅは、低下し、最終的にゼロボルトになり、制御手段４１は、Ｖｅ＝０Ｖの時、便座９が取り外されたと判断し、リレー４３をオフする。従って、使用者が電気的な接続部に触れることが可能な構成であったとしても感電を防止することができる。
【００３７】
以上のように、本実施の形態においては、便座９の便座側電気回路１２と電気便座本体１０の本体側電気回路１８を電気配線４４と電気配線４５の２線で接続しているにもかかわらず、便座９の温度情報を伝達し、同時に、ヒータ１３の電力を供給するので、本実施の形態で示したような、便座９と電気便座本体１０を完全に脱着できる構成を容易に実現できるものである。
【００３８】
なお、図２に示したピークホールド回路を、図３に示すような抵抗４６とトランジスタ４７を付加することで、サンプル＆ホールド回路とすることにより、制御手段４１は、まず、トランジスタ４７をオンしてＶｅをゼロボルトにクリアし、次に、トランジスタ４７をオフして完全にピーク値をホールドしてＶｅを読み込むという動作を繰り返すことできるようになり、さらに正確に便座９の温度を検出できるようになる。
【産業上の利用可能性】
【００３９】
以上のように、本発明にかかる電気便座は、電気配線を２線として、機構的に便座を脱着する構成の実現性を向上するとともに、電気配線が２線にもかかわらず、便座の温度制御を行うことができ、また、制御手段による制御を簡単にすることができるので、電気便座、温水洗浄便座等以外にもヒータで温度制御する機器であれば適用できる。
【図面の簡単な説明】
【００４０】
【図１】本発明の実施の形態における電気便座の斜視図
【図２】同電気便座の主要回路構成図
【図３】同電気便座の他の例を示す主要回路構成図
【符号の説明】
【００４１】
９  便座
１０  電気便座本体
１２  便座側電気回路
１３  ヒータ
１４  サーミスタ（温度検出手段）
１７  本体ケース
１８  本体側電気回路
２２  商用交流電源
２３  ダイオード（便座側第一整流器）
２４  ダイオード（便座側第二整流器）
２５  ダイオード（本体側第一整流器）
２６  トライアック（スイッチング素子）
２７  ダイオード（本体側第二整流器）
２８  抵抗
２９  半固定抵抗（電圧調整手段）
３０  トランジスタ（ピークホールド回路）
３１  電解コンデンサ（ピークホールド回路）
３２  抵抗（ピークホールド回路）
３３  抵抗（ピークホールド回路）
３４  抵抗（電圧検出手段）
３５  抵抗（電圧検出手段）
３６  半固定抵抗（電圧検出出力調整手段）
３７  トランジスタ（別のピークホールド回路）
３８  電解コンデンサ（別のピークホールド回路）
３９  抵抗（別のピークホールド回路）
４０  抵抗（別のピークホールド回路）
４１  制御手段
４３  リレー（開閉手段）
４６  抵抗（サンプル＆ホールド回路）
４７  トランジスタ（サンプル＆ホールド回路）
【図１】
2006141525.tif 000003
【図２】
2006141525.tif 000004
【図３】
2006141525.tif 000005